(57)【要約】  【課題】  人の動きが集中する夕方から深夜までの間は、十分な照度が得られ、人通りの殆ど無い深夜から明け方までは、共用廊下全域の照度を均等に落として、省エネルギーを達成でき、それでいて視覚的に違和感を与えることのない集合住宅における共用廊下の照明装置を提供する。  【解決手段】  共用廊下１における各住戸２の玄関３前などの天井に、二つの光源４ａ，４ｂを備えた２灯式の照明器具４を設置し、夕方から深夜までの間は、二つの光源４ａ，４ｂを点灯させ、深夜から明け方までは、一つの光源４ｂのみを点灯させるか、或いは夕方から深夜までの間は、明るい光源４ａのみを点灯させ、深夜から明け方までは、暗い光源４ｂのみを点灯させるようにタイマＡ，Ｂで制御する。  【選択図】  図２
2005235634.tif 000002
【特許請求の範囲】
【請求項１】
共用廊下における各住戸の玄関前などの天井に、二つの光源を備えた２灯式の照明器具を設置し、夕方から深夜までの間は、二つの光源を点灯させ、深夜から明け方までは、一つの光源のみを点灯させるようにタイマで制御するように構成したことを特徴とする集合住宅における共用廊下の照明装置。
【請求項２】
共用廊下における各住戸の玄関前などの天井に、明るさの異なる二つの光源を備えた２灯式の照明器具を設置し、夕方から深夜までの間は、明るい光源のみを点灯させ、深夜から明け方までは、暗い光源のみを点灯させるようにタイマで制御するように構成したことを特徴とする集合住宅における共用廊下の照明装置。
【請求項３】
一つの透光性ケースの内部に、二つの光源を、互いに向きを逆にして装備させて成る照明器具。
【発明の詳細な説明】
【技術分野】
【０００１】
本発明は、集合住宅における共用廊下の照明装置とそれに用いる照明器具に関する。
【背景技術】
【０００２】
マンション等の集合住宅の共用廊下には、夜間照明用として、各住戸の玄関前などの天井に照明器具が設置されている。そして、一般的には、管理人室などにタイマなどの制御装置があり、夕方になると、前記共用廊下の天井の照明器具が点灯し、明け方に消灯するように構成されている。
【０００３】
ところが、零時以降の深夜から明け方までの間は、殆ど人が通らないにもかかわらず、照明器具は点灯状態になっており、電気の無駄遣いになっている。そのため、深夜になると点灯状態にある照明器具のうち、一つ置きに消灯させるいわゆる間引き消灯を行う事例も見られるが、消灯された照明器具の直下は極端に照度が落ちるため、明暗差が大きく、不満が呈される場合が多い。
【０００４】
これらの問題を解決する手段として、人感センサにより人の動きに合わせて照明器具を点灯させるシステムが提案されている。例えば、特許文献１では、照明器具に主光源と主光源に向けて照射する補助光源が設けられており、人感センサにより人が近づいたことを検出して主光源を点灯させ、補助光源を常時点灯又は主光源が点灯していないときに点灯させることにより、夜間であっても通路が暗闇状態にならず、安心して歩行できる照明装置が提案されている。
【０００５】
しかしながら、集合住宅などの生活環境にあっては、上述のとおり、人の動きは夕方から深夜までの間に集中するため、その時間帯に、いちいち人感知センサによる制御で点灯と消灯を小刻みに繰り返すのは、視覚的に違和感を与え、居住者にとっても、建物の夜景としても好ましくない。
【０００６】
【特許文献１】特開２００２−２６０４０９号公報
【発明の開示】
【発明が解決しようとする課題】
【０００７】
本発明は、上記の問題点を踏まえてなされたもので、その目的とするところは、人の動きが集中する夕方から深夜までの間は、十分な照度が得られ、人通りの殆ど無い深夜から明け方までは、共用廊下全域の照度を均等に落として、省エネルギーを達成でき、それでいて視覚的に違和感を与えることのない集合住宅における共用廊下の照明装置とそれに用いるのに好適な照明器具を提供することにある。
【課題を解決するための手段】
【０００８】
上記の目的を達成するために、本発明が講じた技術的手段は、次の通りである。即ち、請求項１に記載の発明による集合住宅における共用廊下の照明装置は、共用廊下における各住戸の玄関前などの天井に、二つの光源を備えた２灯式の照明器具を設置し、夕方から深夜までの間は、二つの光源を点灯させ、深夜から明け方までは、一つの光源のみを点灯させるようにタイマで制御するように構成したことを特徴としている。
【０００９】
尚、二つの光源は、双方が点灯することによって、共用廊下の照明器具として必要な照度が確保される出力に設定され、それらのうち、深夜から明け方まで点灯する一つの光源は、歩行に支障の無い照度を確保する出力に設定される。
【００１０】
請求項２に記載の発明による集合住宅における共用廊下の照明装置は、共用廊下における各住戸の玄関前などの天井に、明るさの異なる二つの光源を備えた２灯式の照明器具を設置し、夕方から深夜までの間は、明るい光源（主光源）のみを点灯させ、深夜から明け方までは、暗い光源（補助光源）のみを点灯させるようにタイマで制御するように構成したことを特徴としている。
【００１１】
尚、明るさの異なる二つの光源のうち、明るい光源（主光源）は、単独（補助光源を消灯した状態）で点灯することによって共用廊下の照明器具として必要な照度が確保される出力に設定され、暗い光源（補助光源）は、歩行に支障の無い照度を確保する出力に設定される。
【００１２】
請求項３に記載の発明による照明器具は、一つの透光性ケースの内部に、二つの光源を、互いに向きを逆にして装備させて成ることを特徴としている。
【発明の効果】
【００１３】
請求項１に記載の発明によれば、人の動きの多い夕方から深夜までの間は、２灯式の照明器具における二つの光源が点灯することによって、十分に明るい照度を連続して確保でき、人通りの殆ど無い深夜から明け方までは、一方の光源だけが消灯し、他方の光源のみが点灯するので、共用廊下全域の照度を均等に落として、省エネルギーを達成でき、それでいて、人の動きの多い時間帯に、点灯と消灯を小刻みに繰り返ことがないので、視覚的に違和感を与えることがなく、建物の景観を損ねることもない。
【００１４】
請求項２に記載の発明によれば、人の動きの多い夕方から深夜までの間は、２灯式の照明器具における明るい光源（主光源）が点灯することによって、十分に明るい照度を連続して確保でき、人通りの殆ど無い深夜から明け方までは、主光源が消灯し、暗い光源（補助光源）だけが点灯するので、共用廊下全域の照度を均等に落として、省エネルギーを達成でき、それでいて、人の動きの多い時間帯に、点灯と消灯を小刻みに繰り返ことがないので、視覚的に違和感を与えることがなく、建物の景観を損ねることもない。
【００１５】
請求項３に記載の発明による照明器具は、一つの透光性ケースの内部に、二つの光源を、互いに向きを逆にして装備させてあるので、ケースの内部空間の有効利用により、２灯式の照明器具のコンパクト化が可能であり、請求項１，２に記載の発明における照明器具として好適であり、しかも、二つの光源を同時に点灯させた際、透光性ケースの全域をむらなく均一に照らすことができるので、請求項２に記載の発明における照明器具として特に好適である。
【発明を実施するための最良の形態】
【００１６】
図１は集合住宅における一般階の平面図、図２は集合住宅における共用廊下の照明装置の構成図、図３は図２に示した照明装置の制御回路の構成図、図４はタイマの動作説明図であり、斜線部分はタイマ接点が閉じている時間帯を示す。図５と図６は、２灯式の照明器具の一例を示す概略横断面図と概略縦断面図である。
【００１７】
図１に示すように、共用廊下１における各住戸２の玄関３前などの天井には、図２に示す二つの光源４ａ，４ｂを備えた２灯式の照明器具４が略等間隔に設置されている。これらの照明器具４は、夕方（例えば、日の入り）から深夜（例えば、零時）までの間は、二つの光源４ａ，４ｂを点灯させ、深夜から明け方（例えば、日の出）までは、一つの光源４ｂのみを点灯させるようにタイマＡ，Ｂで制御するように構成されている。図２に示す５は電源、６は共通線、７はタイマ連結線である。図３、図４に示すように、タイマＡ，Ｂは、常時、必要な電圧の駆動用電源回路に接続されており、設定された時刻（日の入り
）になると、タイマ接点ａ，ｂが閉じ、設定された時刻（タイマＡは深夜、タイマＢは日の出）になると、タイマ接点ａ，ｂが開くように構成されている。
【００１８】
上記の構成によれば、夕方になると、タイマ接点ａ，ｂが閉じ、２灯式の照明器具４における二つの光源４ａ，４ｂが同時に点灯する。深夜になると、タイマ接点ａのみが開いて一方の光源４ａが消灯し、他方の光源４ｂのみが点灯した状態となる。明け方になると、タイマ接点ｂが開き、他方の光源４ｂも消灯する。
【００１９】
このように、人の動きの多い夕方から深夜までの間は、２灯式の照明器具４における光源４ａ，４ｂが２灯とも点灯することによって、十分に明るい照度を連続して確保でき、人通りの殆ど無い深夜から明け方までは、一方の光源４ａが消灯し、他方の光源４ｂのみが点灯するので、共用廊下全域の照度を均等に落として、省エネルギーを達成でき、それでいて、人の動きの多い時間帯に、点灯と消灯を小刻みに繰り返すことがないので、視覚的に違和感を与えることがなく、建物の景観を損ねることもない。
【００２０】
尚、２灯式の照明器具４としては、図５、図６に示すように、一つの透光性ケース８の内部に、二つの光源４ａ，４ｂを、互いに向きを逆にして装備させて構成したものを使用することが、照明器具４のコンパクト化や透光性ケース８の全域をむらなく均一に照らすことができようにする上で好ましい。また、２灯式の照明器具４の照度としては、二つの光源４ａ，４ｂが点灯したとき、照明器具４直下で例えば２０ルクスを確保し、一つの光源４ｂのみが点灯したときには、照明器具４直下で例えば７ルクス程度を確保できるように設定するのが好ましい。そのためには、例えば、二つの光源４ａ，４ｂとして、２０Ｗの電灯を二つ設け、消費電力を４０Ｗに設定してもよく、一方の光源４ａを２０Ｗ〜３０Ｗの電灯とし、他方の光源４ｂを１０Ｗ〜２０Ｗの電灯にして、二つの電灯で約４０Ｗの消費電力となるように設定してもよい。また、照明器具４直下で７ルクスの照度を確保するには、９Ｗの電灯で可能であるから、一方の光源４ａを３０Ｗ、他方の光源４ｂを９Ｗとして、約４０Ｗに設定することも可能である。電灯としては、白熱電球や蛍光電球が使用されるが、蛍光電球は白熱電球よりも価格が高いので、一日のうち、長時間点灯させる方の電灯を寿命が長い蛍光電球とし、短時間点灯させる方の電灯を寿命が短い白熱電球にするといった工夫により、費用の低減を図ることが望ましい。
【００２１】
図７、図８は、本発明の他の実施形態を示し、共用廊下１における各住戸２の玄関３前などの天井に、明るさの異なる二つの光源４ａ，４ｂを備えた２灯式の照明器具４を略等間隔に設置し、夕方（例えば、日の入り）から深夜（例えば、零時）までの間は、明るい光源（主光源）４ａのみを点灯させ、深夜から明け方（例えば、日の出）までは、暗い光源（補助光源）４ｂのみを点灯させるようにタイマＡ，Ｂで制御するように構成した点に特徴がある。
【００２２】
上記の構成によれば、人の動きの多い夕方から深夜までの間は、２灯式の照明器具４における明るい光源（主光源）４ａが点灯することによって、十分に明るい照度を連続して確保でき、人通りの殆ど無い深夜から明け方までは、明るい光源（主光源）４ａが消灯し、暗い光源（補助光源）４ｂだけが点灯するので、共用廊下１全域の照度を均等に落として、省エネルギーを達成でき、それでいて、人の動きの多い時間帯に、点灯と消灯を小刻みに繰り返すことがないので、視覚的に違和感を与えることがなく、建物の景観を損ねることもない。
【００２３】
尚、明るさの異なる二つの光源４ａ，４ｂのうち、明るい光源（主光源）４ａは、単独（補助光源を消灯した状態）で点灯することによって共用廊下１の照明器具４として必要な照度が確保される出力（例えば、消費電力４０Ｗ）に設定され、暗い光源（補助光源）４ｂは、歩行に支障の無い照度を確保する出力（例えば、消費電力９Ｗ）に設定される。
【００２４】
図９に示すように、深夜、一方のタイマＡのタイマ接点が開くと同時に他方のタイマＢのタイマ接点が閉じるようにして、夕方から深夜までの間は、明るい光源（主光源）４ａのみを点灯させ、深夜から明け方までは、暗い光源（補助光源）４ｂのみを点灯させるように構成することも可能であるが、これによる場合、タイマＡ，Ｂの時刻設定にズレがあると、明るい光源（主光源）４ａから暗い光源（補助光源）４ｂに切り替わる際、タイマＡ，Ｂの時刻設定のズレに相当する時間、主光源（明るい光源４ａ）と補助光源（暗い光源４ｂ）の双方が消灯して、真っ暗になったりする場合があるため、主光源と補助光源が一時的に同時点灯するように設定のが良い。この場合、必要以上に明るくなることになるが、一時的なものである。
【００２５】
また、図示の実施形態では、図７、図８に示すように、タイマＡについては、夕方になると、タイマ接点ａが閉じ、明け方になるとタイマ接点ａが開くように構成する一方、タイマＢについては、タイマ接点ｂを主光源側の端子ｃと補助光源側の端子ｄに交互に切り替えられる形式とし、深夜になると、それまで主光源側の端子ｃと接触していたタイマ接点ｂが補助光源側の端子ｄと接触するように切り替わり、明け方になると、主光源側の端子ｃと接触するように切り替わるように構成してある。
【００２６】
このタイマ接点ｂの切り替えは瞬時におこなわれるので、主光源（明るい光源４ａ）から補助光源（暗い光源４ｂ）へ切り替わる間に瞬間的に生じる主光源（明るい光源４ａ）の消灯による影響は少ない。
【００２７】
尚、上述した各実施形態においては、タイマＡ，Ｂを区別して図示しているが、制御機器としては必ずしも別体であることを要しない。また、タイマＡ，Ｂとしては、時刻を設定する形式、通電時間を設定する形式の何れであってもよい。
【図面の簡単な説明】
【００２８】
【図１】集合住宅における一般階の平面図である。
【図２】集合住宅における共用廊下の照明装置の構成図である。
【図３】図２に示した照明装置の制御回路の構成図である。
【図４】タイマの動作説明図である。
【図５】２灯式の照明器具の一例を示す概略横断面図である。
【図６】図５に示した照明器具の概略縦断面図である。
【図７】他の実施形態を示す照明装置の制御回路の構成図である。
【図８】タイマの動作説明図である。
【図９】タイマの動作説明図である。
【符号の説明】
【００２９】
Ａ，Ｂ  タイマ
１  共用廊下
４  照明器具
４ａ，４ｂ  光源
【図１】
2005235634.tif 000003
【図２】
2005235634.tif 000004
【図３】
2005235634.tif 000005
【図４】
2005235634.tif 000006
【図５】
2005235634.tif 000007
【図６】
2005235634.tif 000008
【図７】
2005235634.tif 000009
【図８】
2005235634.tif 000010
【図９】
2005235634.tif 000011